(57)【要約】【課題】天井面に設置されて室内の空気を攪拌し使用者に快適さを提供し、かつ室内の明るさを調節するのに使用される送風装置において、室内の空気を効率的に攪拌させることを目的とする。【解決手段】羽根部７を照明部４より下方に突出させた構成にしたことにより、羽根部７の側方に照明部４がない部分があるので、回転する羽根部７は周囲の空気を昇圧する上で、照明部４の干渉が小さくなることで圧力損失が低減されるので、天井面へ向けて下方から上方への送風効率を改善した送風装置を得られる。【選択図】図１
2020133524.tif 000002
【特許請求の範囲】
【請求項１】
天井面に吊り下げるように取り付けられる装着フレームと、
前記装着フレームに固定される環状のベースと、
前記ベースに装着される照明部と、
前記ベースに固定され回転軸が下方に延びたモーター部と、
前記回転軸に着脱自在な羽根部と、を備え、
前記天井面と前記ベースとの間には隙間が設けられ、
前記羽根部は、前記照明部より下方に突出することを特徴とする送風装置。
【請求項２】
前記ベースの内周側の全周には、前記天井面側へ突出した突起部を設けたことを特徴とする請求項１に記載の送風装置。
【請求項３】
前記隙間は、前記ベースの中心側から外周側へ向かって徐々に大きくなることを特徴とする請求項１から２のいずれか１項に記載の送風装置。
【発明の詳細な説明】
【技術分野】
【０００１】
本発明は、室内の天井面に設置して空気の循環を行う送風装置に関するものである。
【背景技術】
【０００２】
従来、この種の送風装置は、室内の天井面に設置して空気の循環を行い、使用者に快適さを提供し、なおかつ室内を照明するものが知られている（例えば、特許文献１参照）。
【０００３】
以下、その送風装置について図４を参照しながら説明する。
【０００４】
図４に示すように、送風装置１０１は天井面に取り付けられるベース１０２と、ベース１０２に装着される照明部１０３と、ベース１０２に固定され回転軸が下方に延びたモーター部１０４と、回転軸に着脱自在な羽根部１０５とを備え、天井面とベース１０２との間には隙間１０６が設けられ、羽根部１０５は照明部１０３より上方に位置している。
【先行技術文献】
【特許文献】
【０００５】
【特許文献１】特許第６４２３５５９号公報（第２０頁、第１図）
【発明の概要】
【発明が解決しようとする課題】
【０００６】
このような従来の送風装置においては、羽根部１０５の回転により空気が天井面へ向けて上方へ送出される場合は、天井面とベース１０２との間の隙間１０６を通って気流が室内を循環するので、たとえばエアコンを併用した場合などは室内の温度ムラを解消でき、使用者に快適さを提供することができるが、回転する羽根部１０５の側方に照明部１０３が存在することで、下方から上方へ空気を送出する気流を形成する上での圧力損失となり、送風効率を低下させるという課題を有していた。
【０００７】
そこで本発明は、上記従来の課題を解決するものであり、気流の圧力損失の低下を抑制し、送風効率を改善した送風装置を提供することを目的とする。
【課題を解決するための手段】
【０００８】
そして、この目的を達成するために、本発明は、羽根部を照明部より下方に突出させたものであり、これにより所期の目的を達成するものである。
【発明の効果】
【０００９】
本発明によれば、羽根部を照明部より下方に突出させた構成にしたことにより、羽根部の側方に照明部がない部分があることで、気流形成における干渉がなくなり、羽根部の周囲の空気を効率的に昇圧できるので、送風効率を改善するという効果を得ることができる。
【図面の簡単な説明】
【００１０】
【図１】本発明の実施の形態１の送風装置の構成要素を示す側面図
【図２】同送風装置の構成要素を示す斜視図
【図３】同送風装置の構成要素を示す側断面図
【図４】従来の送風装置の構成要素を示す側断面図
【発明を実施するための形態】
【００１１】
本発明の請求項１記載の送風装置は、天井面に吊り下げるように取り付けられる装着フレームと、前記装着フレームに固定される環状のベースと、前記ベースに装着される照明部と、前記ベースに固定され回転軸が下方に延びたモーター部と、前記回転軸に着脱自在な羽根部とを備え、前記天井面と前記ベースとの間には隙間が設けられ、前記羽根部は、前記照明部より下方に突出するという構成を有する。これにより、前記羽根部の側方に照明部がない部分があることで天井面に向けて下方から上方へ向けた気流形成に対する干渉が抑制されるので、送風効率を改善するという効果を奏する。
【００１２】
また、前記ベースの内周側の全周には、天井面側へ突出した突起部を設けたという構成を有する。これにより、前記羽根部により天井面へ向けて下方から上方へ向けて送出される風の気流に対して、前記ベースの内周端近傍で発生する乱流が抑制され、圧力損失が低減されることで、送風効率を向上させるという効果を奏する。
【００１３】
また、天井面と前記ベースとの間の前記隙間から前記羽根部へ到達する途中に仕切りが設けられることになるので、前記ベースの天井面側に堆積した塵埃の清掃を目的として、前記隙間へ清掃用具などを挿入した場合に、回転する前記羽根部へ接触する可能性を低減するという効果を奏する。
【００１４】
また、前記隙間は、前記ベースの中心側から外周側へ向かって徐々に大きくなるという構成を有する。これにより、ディフューザーの効果により、気流を効率的に拡散させることができ、室内の空気の攪拌効果を向上させるという効果を奏する。
【００１５】
また、前記ベースの天井面側に堆積した塵埃の清掃を目的として、前記隙間へ清掃用具などを挿入することが容易となり、清掃の効率を向上させるという効果を奏する。
【００１６】
以下、本発明の実施の形態について図面を参照しながら説明する。
【００１７】
（実施の形態１）
図１、図２、および図３に示すように、送風装置１は、装着フレーム２と、ベース部３と、照明部４と、モーター部６と、羽根部７とを備えている。
【００１８】
以下、それぞれの構成要素の詳細な説明と位置関係を説明する。
【００１９】
装着フレーム２は、下方に開口した円形の深底皿形状である。装着フレーム２は、底面の孔（図示せず）を介して、天井面に木ネジなどにより固定されている。
【００２０】
ベース部３は、円筒部１２と、パネル部１１と、アーム部１０とから構成され、それぞれはネジにより接続されている。
【００２１】
円筒部１２は、上方に開口した円形の略深底皿形状である。円筒部１２は、円筒部１２の内周壁と、装着フレーム２の外周壁とが接触するように、側壁でネジにより接続されている。
【００２２】
パネル部１１は、内周側直径ｄ１、外周側直径ｄ２とした円環状の板であり、中心軸は上下方向に延びている。パネル部１１は、パネル部１１の上方側の端面と天井面との間には隙間８が設けられ、隙間８の高さをＨとする。パネル部１１の中心軸は、円筒部１２の中心軸上に配置されている。パネル部１１は、複数のアーム部１０によって、円筒部１２に固定されている。
【００２３】
アーム部１０は、細長板形状であり、一方側端部がパネル部１１の上面に固定され、他方側端部が円筒部１２の周壁に固定されている。
【００２４】
照明部４は、円環形状であり、断面が半円のドーム形状をしており、パネル部１１の下方側にネジにより接続されている。照明部４の中心軸は、パネル部１１の中心軸上に配置されている。
【００２５】
モーター部６は、円筒部１２に内方にネジにより接続され、円筒部１２と装着フレーム２とにより内包されているが、回転軸５は円筒部１２の下方へ貫通している。回転軸５は、パネル部１１と照明部４の中心軸上に配置されている。
【００２６】
羽根部７は、羽根１３と円筒状のボス１４とを有している。複数の羽根１３は、円筒状のボス１４の中心軸を中心として、円筒状のボス１４の周面から放射状、かつ水平方向に延びている。羽根部７は、回転軸５にボス１４を挿入した後、回転軸５の先端にはネジが切られているので、たとえば扇風機のファンを取り付けるために使用されるナット１５により、着脱自在に固定することができる。このとき、照明部４は、羽根部７の側方を囲むように配置されても良いが、少なくとも羽根１３の一部が、照明部４の下端よりも下方へ突出することが必要である。また、図３に示すように、羽根１３は、照明部４の下端よりも下方に配置されていてもよい。
【００２７】
モーター部６によって、羽根部７が回転すると、羽根部７から空気が上方へ流れ、照明部４とベース部３の円環形状の内方を介して、天井面側へ流れ、更に天井面とパネル部１１の間を介して部屋全体へ流れる。
【００２８】
このような構成によれば、羽根部７の側方に照明部４がない部分があるので、回転する羽根部７は周囲の空気を昇圧する上で、照明部４の干渉が小さくなることで圧力損失が低減されるので、天井面へ向けて下方から上方への送風効率を改善できる。
【００２９】
また、ベース部３の内周側の全周にかけて、天井面側へ突出するように、突起部９が、ベース部３の天井面側にネジ固定（たとえば、小ねじ）されている（図示せず）。突起部９は、環状であり、その形状は断面で見ると円弧（半径Ｒ）である。突起部９の高さｈと、円弧の半径Ｒは、Ｒ＝ｈの関係である。突起部９の内周側直径Ｄは、羽根部７の外径よりも大きく、かつパネル部１１の内周側直径ｄ１よりも小さい（Ｄ＜ｄ１＜ｄ２の関係となる）。
【００３０】
このように、さらに突起部９が設けられていることで、空気は天井面へ向けて下方から上方へ向けて突起部９の円弧に沿って滑らかに送出されるため、パネル部１１の内周端近傍で発生する乱流が抑制され、圧力損失が低減されるため、送風効率を向上させることができる。
【００３１】
また、突起部９が設けられたことで、隙間８から羽根部７へ到達する途中に仕切りが設けられることになるので、パネル部１１の天井面側に堆積した塵埃の清掃を目的として、隙間８へ清掃用具（たとえば、モップなど）を挿入した場合に、回転する羽根部７へ接触する可能性を低減することができる。
【００３２】
また、突起部９の高さｈは、隙間８の高さＨよりも小さく、隙間８の高さＨは、回転軸５から外周へ向かうにあたり徐々に大きくなる。
【００３３】
ここで、隙間８を通過して回転軸５から外周へ向かう気流は、隙間８の高さＨが、回転軸５から外周へ向かいに従い徐々に大きくなることで、ディフューザーの効果により気流を効率的に拡散させることができるので、室内の空気の攪拌効果を向上させることができる。
【００３４】
また、隙間８の高さＨは外周へ向かうに従い徐々におおきくなるので、パネル部１１の天井面側に堆積した塵埃の清掃を目的として、隙間８へ清掃用具（モップなど）を挿入することが容易となり、清掃の効率を向上させることができる。
【産業上の利用可能性】
【００３５】
本発明にかかる送風装置は、室内の空気を効率的に攪拌して、温度ムラを解消して快適さを提供し、かつお手入れ時の安全性とお手入れのしやすさを改善することを可能とするものであるので、天井面に設置して使用される送風装置等として有用である。
【符号の説明】
【００３６】
１    送風装置
２    装着フレーム
３    ベース部
４    照明部
５    回転軸
６    モーター部
７    羽根部
８    隙間
９    突起部
１０    アーム部
１１    パネル部
１２    円筒部
１３    羽根
１４    ボス
１５    ナット
【図１】
2020133524.tif 000003
【図２】
2020133524.tif 000004
【図３】
2020133524.tif 000005
【図４】
2020133524.tif 000006